(57)【特許請求の範囲】
【請求項１】
原稿載置面に載置された原稿の画像を読み取る画像読取部と、
前記原稿載置面に載置された原稿を前記原稿載置面に押圧する原稿押圧体と、
前記原稿押圧体を前記画像読取部に軸支し、該原稿押圧体を前記原稿載置面に対して開閉可能に保持する第１の保持手段と、
前記原稿押圧体を前記原稿載置面に対して軸支することなく、前記第１の保持手段と共に前記原稿押圧体を前記原稿載置面に対して開閉可能に保持すると共に前記原稿押圧体の開閉に伴って回動し、該回動の回動中心は前記第１の保持手段の回動中心と実質的に同心である第２の保持手段と、を備えた、
ことを特徴とする画像読取装置。
【請求項２】
前記第２の保持手段は、
前記原稿押圧体の回動基端部に設けられた摺動部と、
前記画像読取部に設けられて、前記原稿押圧体を前記原稿載置面に対して開閉可能とするように前記摺動部が摺動する被摺動部と、を備え、
前記第２の保持手段は、前記摺動部が前記被摺動部に摺動することで、前記原稿押圧体の開閉に伴って回動する、
ことを特徴とする請求項１に記載の画像読取装置。
【請求項３】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、前記摺動部と前記被摺動部の少なくとも一方に円弧面を有し、
前記円弧面の曲率中心は、前記連結軸と同心である、
ことを特徴とする請求項２に記載の画像読取装置。
【請求項４】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記原稿押圧体の回動基端部に設けられた回転体と、
前記画像読取部に設けられて、前記原稿押圧体を前記原稿載置面に対して開閉可能とするように前記回転体を受け止める受け部と、を備え、
前記回転体の回転中心は、前記連結軸と同心である、
ことを特徴とする請求項１に記載の画像読取装置。
【請求項５】
前記第２の保持手段の両側に設けられて、前記原稿押圧体が前記第１の保持手段の回動軸心方向へ移動することを阻止する移動阻止部を備えた、
ことを特徴とする請求項１乃至４のいずれか１項に記載の画像読取装置。
【請求項６】
前記原稿押圧体を前記原稿載置面に対して軸支することなく、該原稿押圧体を前記原稿載置面に対して開閉可能に保持する前記第２の保持手段とは異なる第３の保持手段をさらに備え、
前記第１の保持手段は、前記第２の保持手段と前記第３の保持手段との間に設けられている、
ことを特徴とする請求項１乃至５のいずれか１項に記載の画像読取装置。
【請求項７】
請求項１乃至６のいずれか１項に記載の画像読取装置と、
前記画像読取装置によって読み取られた画像情報をシートに形成する画像形成部と、を備えた、
ことを特徴とする画像形成装置。
【請求項８】
原稿載置面に載置された原稿の画像を読み取る画像読取部と、
前記原稿載置面に載置された原稿を前記原稿載置面に押圧する原稿押圧体と、
前記原稿押圧体を前記画像読取部に軸支し、該原稿押圧体を前記原稿載置面に対して開閉可能に保持する第１の保持手段と、
前記原稿押圧体を前記原稿載置面に対して軸支することなく、前記原稿押圧体の開方向への回動中に前記原稿押圧体の荷重がかかった状態で前記第１の保持手段と共に前記原稿押圧体を保持する第２の保持手段と、を備えた、
ことを特徴とする画像読取装置。
【請求項９】
前記第２の保持手段は、
前記原稿押圧体の回動基端部に設けられた摺動部と、
前記画像読取部に設けられて、前記原稿押圧体を前記原稿載置面に対して開閉可能とするように前記摺動部が摺動する被摺動部と、を備えた、
ことを特徴とする請求項８に記載の画像読取装置。
【請求項１０】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記摺動部と前記被摺動部の少なくとも一方に円弧面を有し、
前記円弧面の曲率中心は、前記連結軸と同心である、
ことを特徴とする請求項９に記載の画像読取装置。
【請求項１１】
前記第１の保持手段は、
前記原稿押圧体に固定される固定部と、
前記画像読取部に嵌合される嵌合部と、
前記固定部と前記嵌合部とを回動可能に連結する連結軸と、を有し、
前記第２の保持手段は、
前記原稿押圧体の回動基端部に設けられた回転体と、
前記画像読取部に設けられて、前記原稿押圧体を前記原稿載置面に対して開閉可能とするように前記回転体を受け止める受け部と、を備え、
前記回転体の回転中心は、前記連結軸と同心である、
ことを特徴とする請求項８に記載の画像読取装置。
【請求項１２】
前記第２の保持手段の両側に設けられて、前記原稿押圧体が前記第１の保持手段の回動軸心方向へ移動することを阻止する移動阻止部を備えた、
ことを特徴とする請求項８乃至１１のいずれか１項に記載の画像読取装置。
【請求項１３】
前記原稿押圧体を前記原稿載置面に対して軸支することなく、該原稿押圧体を前記原稿載置面に対して開閉可能に保持する前記第２の保持手段とは異なる第３の保持手段をさらに備え、
前記第１の保持手段は、前記第２の保持手段と前記第３の保持手段との間に設けられている、
ことを特徴とする請求項８乃至１２のいずれか１項に記載の画像読取装置。
【請求項１４】
請求項８乃至１３のいずれか１項に記載の画像読取装置と、
前記画像読取装置によって読み取られた画像情報をシートに形成する画像形成部と、を備えた、
ことを特徴とする画像形成装置。
【発明の詳細な説明】
【技術分野】
【０００１】
本発明は、原稿の画像を読み取る画像読取装置と、画像読取装置を備えて画像読取装置が読み取った画像をシートに形成する画像形成装置とに関する。
【背景技術】
【０００２】
従来、原稿の画像を読み取る画像読取装置を装置本体に備え、画像読取装置が読み取った画像をシートに形成する画像形成装置がある（特許文献１）。そして、画像読取装置は、原稿載置面に載置された原稿の画像を読み取る画像読取部と、原稿載置面に載置された原稿を原稿載置面に押圧する原稿押圧体とを備えている。原稿押圧体には、原稿を自動的に画像読取部に給送する自動原稿供給装置や、平板状の開閉蓋などがある。
【先行技術文献】
【特許文献】
【０００３】
【特許文献１】特開２０１１−７５８５９号公報
【発明の概要】
【発明が解決しようとする課題】
【０００４】
ところで、原稿押圧体は、蝶番（開閉ヒンジ）によって画像読取部に連結されて、画像読取部の原稿載置面に対して回動開閉できるようになっている。この場合、原稿押圧体を画像読取部に確実に支持するため、蝶番は、少なくとも１対、設けられている。
【０００５】
しかし、従来の画像読取装置は、複数の蝶番を使用しているため、構成が複雑であるという問題があった。
【０００６】
本発明は、構造を複雑にせず、原稿押圧体を画像読取部に対して容易に開閉でき、機能品質や製品の品位を損なうことを防止する画像読取装置、及びこれを備えた画像形成装置とを提供することにある。
【課題を解決するための手段】
【０００７】
本発明の画像読取装置は、原稿載置面に載置された原稿の画像を読み取る画像読取部と、前記原稿載置面に載置された原稿を前記原稿載置面に押圧する原稿押圧体と、前記原稿押圧体を前記画像読取部に軸支し、該原稿押圧体を前記原稿載置面に対して開閉可能に保持する第１の保持手段と、前記原稿押圧体を前記原稿載置面に対して軸支することなく、前記第１の保持手段と共に前記原稿押圧体を前記原稿載置面に対して開閉可能に保持すると共に前記原稿押圧体の開閉に伴って回動し、該回動の回動中心は前記第１の保持手段の回動中心と実質的に同心である第２の保持手段と、を備えた、ことを特徴としている。
また、本発明の画像読取装置は、原稿載置面に載置された原稿の画像を読み取る画像読取部と、前記原稿載置面に載置された原稿を前記原稿載置面に押圧する原稿押圧体と、前記原稿押圧体を前記画像読取部に軸支し、該原稿押圧体を前記原稿載置面に対して開閉可能に保持する第１の保持手段と、前記原稿押圧体を前記原稿載置面に対して軸支することなく、前記原稿押圧体の開方向への回動中に前記原稿押圧体の荷重がかかった状態で前記第１の保持手段と共に前記原稿押圧体を保持する第２の保持手段と、を備えた、ことを特徴としている。
【０００８】
本発明の画像形成装置は、上記の画像読取装置と、前記画像読取装置によって読み取られた画像情報をシートに形成する画像形成部と、を備えた、ことを特徴としている。
【発明の効果】
【０００９】
本発明の画像読取装置によれば、構造を複雑にせず、原稿押圧体を画像読取部に対して容易に開閉でき、開閉蓋の機能品質や製品の品位を損なうことを防止することができる。
【００１０】
本発明の画像形成装置は、構造が簡単な画像読取装置を備えているので、装置全体として簡素化することができる。
【図面の簡単な説明】
【００１１】
【図１】本発明の実施形態の画像形成装置のシート搬送方向に沿った概略断面図である。
【図２】図１の画像形成装置における画像読取装置の外観斜視図である。
【図３】開閉蓋を使用した画像読取装置の斜視図である。（Ａ）は、開閉蓋を開いた状態の図である。（Ｂ）は、画像読取部の外観斜視図である。
【図４】蝶番の外観斜視図である。（Ａ）は、開閉蓋を閉めたときの状態に相当する図である。（Ｂ）は、開閉蓋を開けたときの状態に相当する図である。
【図５】補助ヒンジの詳細図である。（Ａ）は、開閉蓋を閉めたときの補助ヒンジの（Ｂ）のＥ−Ｅ矢視断面図である。（Ｂ）は、（Ａ）のＦ−Ｆ矢視断面図である。（Ｃ）は、開閉蓋を開いたときの補助ヒンジの（Ｄ）のＫ−Ｋ矢視断面図である。（Ｄ）は、（Ｃ）のＨ−Ｈ矢視断面図である。
【図６】補助ヒンジの被摺動面と、レバーの図である。（Ａ）は、被摺動面が形成された凹部の平面図である。（Ｂ）は（Ａ）のＪ−Ｊ矢視断面図である。（Ｃ）は、レバーを（Ｄ）の左側から見た図である。（Ｄ）は、レバーを（Ｃ）の右側から見た図である。
【図７】他の形態の補助ヒンジの図である。（Ａ）は、図５（Ｂ）に相当する図である。（Ｂ）は図５（Ｄ）に相当する図である。
【図８】さらに、他の形態の補助ヒンジの図である。（Ａ）は、図５（Ｂ）に相当する図である。（Ｂ）は、図５（Ｄ）に相当する図である。
【図９】さらに、他の形態の補助ヒンジの図である。（Ａ）は、図５（Ｂ）に相当する図である。（Ｂ）は図５（Ｄ）に相当する図である。（Ｃ）は、開閉蓋を開いたときの補正ヒンジの正面図である。
【図１０】蝶番を１つ、補助ヒンジを１つにした場合の画像読取装置の外観斜視図であり、図３（Ａ）に相当する図である。
【発明を実施するための形態】
【００１２】
以下、本発明の実施形態の画像読取装置と、この画像読取装置を装置本体に備えた画像形成装置とを図面に基づいて説明する。
【００１３】
（画像形成装置）
図１は、画像形成装置のシート搬送方向に沿った概略断面図である。図２は、画像読取装置の外観斜視図である。画像形成装置１００は、装置本体１００Ａと、装置本体１００Ａの上部に設けられた画像読取装置４００とで構成されている。画像読取装置４００は、原稿載置面としてのプラテンガラス５０１に載置された原稿の画像を読み取る画像読取部５００と、プラテンガラスに載置された原稿をプラテンガラスに押圧する原稿押圧体としての原稿供給装置６００とで構成されている。原稿供給装置（Ａｕｔｏ  Ｄｏｃｕｍｅｎｔ  Ｆｅｅｄｅｒ）６００は、後述する支持機構３００によって、プラテンガラスに対し、回動して開閉可能に画像読取部５００に設けられている。原稿供給装置６００は、閉めた状態で、原稿をプラテンガラスに押圧するようになっている。プラテンガラス５０１に押圧された原稿は、図１の左右方向（副走査方向）に移動する画像読取ユニット５０２に照射されて読み取られるようになっている。この読み方を固定読みと称する。
【００１４】
また、原稿供給装置６００は、原稿積載トレイ６０１に載置された原稿Ｓをプラテンガラス５０１上の画像読取位置に搬送した後、原稿排出トレイ６０２に排出するようになっている。画像読取部５００は、プラテンガラス５０１上の画像読取位置に送り込まれてくる原稿に図１の位置に停止している画像読取ユニットの光を照射して、原稿を読み取るようになっている。この読み方を流し読みと称する。
【００１５】
装置本体１００Ａは、画像読取部５００からの画像情報に基づいて、普通紙やＯＨＰシート等のシートに原稿を複写する（画像を形成する）ようになっている。画像形成装置１００の装置本体１００Ａの下部には、各種サイズのシートＰを収納した複数のシートカセット１１１（図には１つだけ示して他は省略）が着脱自在に装着されている。シートカセット１１１から給紙搬送ローラ１０５によって搬送されたシートは、画像形成部１０３の感光ドラム１１０の転写位置に送られる。感光ドラム１１０は、画像読取装置４００からの画像情報に基づいたレーザスキャナ１０２のレーザを照射されて、潜像を形成され、その潜像が不図示の現像装置によりトナー現像されてトナー画像として形成される。トナー画像は、転写位置に搬送されるシートに転写されて、定着器１０６によって定着される。
【００１６】
シートは、片面に画像を形成されて両面に形成する必要が無い場合、排出ローラ対１０９によって、胴内排出トレイ１１２に排出される。シートは、両面に画像を形成される場合、スイッチバック搬送によって反転搬送されて、再送パス１０７を搬送され、再度、画像形成部１０３へ送り込まれる。画像形成部１０３でシートは、他方の面にトナー画像を転写され、そのトナー画像を定着器１０６で定着されて排出ローラ対１０９から胴内排出トレイ１１２に排出される。なお、シートは、シートカセット１１１からの給送のみならず、マルチトレイ１０８からも給送されるようになっている。
【００１７】
以上説明した、画像読取装置４００は、ユーザに選択された、固定読みと流し読みとの一方の読み方によって原稿を読み取るようになっているが、本願発明の画像読取装置は、両方の読み方の内、少なくとも、原稿を固定読み出来ればよい。このため、原稿押圧体として、図１、図２に示す原稿供給装置６００の代わりに、図３（Ａ）に示すように、原稿をプラテンガラス５０１に押圧する平板状の開閉蓋２を使用してもよく、原稿押圧体は、原稿供給装置６００に限定されるものではない。
【００１８】
したがって、以下、原稿供給装置６００の代わりに開閉蓋２を備えた画像読取装置７００について説明するが、本発明は、原稿供給装置６００を備えた画像読取装置４００についても、適用することができる。
【００１９】
図３（Ａ）は、開閉蓋２を起こして開いた画像読取装置７００の外観斜視図である。図３（Ｂ）は、画像読取部５００の外観斜視図である。開閉蓋２は、プラテンガラス５０１を覆う役目と外装の役目とをしている原稿台カバー９と、原稿台カバー９のプラテンガラス５０１側に粘着剤で貼り付けられた白色板１０などで構成されている。白色板１０は、原稿をプラテンガラス５０１に弾性的に押さえ付けることができるように、不図示のスポンジやゴムなどの弾性体を介して原稿台カバー９に設けられている。
【００２０】
画像読取部５００は、上部が開放された箱状の本体５０４と、本体の開放された上部に設けられたプラテンガラス５０１と、プラテンガラスの下方で、本体５０４内の左右方向（副走査方向）Ａの向きに設けられた１対のガイド軸５０３と、で構成されている。さらに、画像読取部５００は、固定読みのとき、ガイド軸５０３を案内にして副走査方向Ａに移動しながら原稿を読み取る画像読取ユニット５０２も備えている。画像読取部５００の奥部５００ａには、後述する開閉ヒンジ３が取付けられる断面方形状の縦孔としてのヒンジ取付け孔６と、後述する補助ヒンジ４のレバー４１（図５、図６）が摺動する被摺動部としての被摺動面４２とが形成されている。ヒンジ取付け孔６は、奥部５００ａの副走査方向Ａの略中央に形成されている。被摺動面４２は、ヒンジ取付け孔６から副走査方向Ａに離れた両側に形成されている。画像読取部５００は、ユーザが原稿をプラテンガラス５０１に載置して、開閉蓋２を閉めた後、画像読取ユニット５０２が１対のガイド軸５０３を案内にして副走査方向Ａに移動することによって、原稿を固定読みするようになっている。なお、画像読取ユニット５０２は、図１に示す位置に停止して、原稿を流し読みすることもできるようになっている。
【００２１】
開閉蓋２は、副走査方向Ａの中央に位置する第１の保持手段としての１つの開閉ヒンジ（蝶番）３と、開閉ヒンジ３の副走査方向Ａの両側に位置する第２の保持手段としての補助ヒンジ４との協働によって、画像読取部５００に、開閉自在に設けられている。すなわち、開閉ヒンジ３と補助ヒンジ４は、開閉蓋２を、プラテンガラス５０１に対して回動できるように、画像読取部５００に回動自在に支持した支持機構３００を構成している。
【００２２】
図３において、開閉ヒンジ３は、開閉蓋２が開閉できるように、開閉蓋２の奥部２ａと画像読取部５００の奥部５００ａとを後述する連結軸３３（図４）によって軸支して接続している。奥部２ａ，５００ａとは、ユーザが画像形成装置１００の前に立ったときの奥側の方のことである。図４において、開閉ヒンジ３は、図３（Ｂ）の断面方形状の縦孔としてのヒンジ取付け孔６に嵌合される角軸状の支柱３１と、開閉蓋２にねじ止めされるヒンジ片３２と、支柱３１とヒンジ片３２とを回動自在に連結する連結軸３３とで構成されている。ヒンジ片３２は、支柱３１に対して、連結軸３３を回動中心に閉方向Ｃと、開方向Ｄ方向とに回動するようになっている。なお、開閉ヒンジ３は、不図示のストッパによって、図４（Ｂ）の状態より、さらに、開方向Ｄには、回動しないようになっている。このため、開閉蓋２は、図３（Ａ）の状態からさらに後方に倒れるのを防止されている。
【００２３】
図５、図６において、補助ヒンジ４は、画像読取部５００の奥部５００ａの上部に形成された被摺動面４２と、開閉蓋２の奥部に設けられたレバー４１とで構成されている。レバー４１は、被摺動面４２に当接して、開閉中の開閉蓋２を画像読取部５００に支持するようになっている。このため、補助ヒンジ４は、開閉ヒンジ３と異なって、連結軸を有していない。
【００２４】
レバー４１は、ユーザが開閉蓋２を起こして、開いたとき、図３（Ａ）、図５（Ｄ）に示すように、開閉蓋２とともに副走査方向Ａに対して直交する主走査方向Ｂに回動して、下向きになるようになっている。また、レバー４１は、ユーザが開閉蓋２を手前側に倒して、閉めたとき、図５（Ｂ）に示すようにプラテンガラス５０１の表面と略平行になるようになっている。レバー４１は、図５に示すように、画像読取部５００の奥部５００ａの主走査方向Ｂに沿って、長く形成された凹部４３に進入している。凹部４３の底面は、平らな被摺動面４２である。レバー４１の先端部（回動基端部）には、載置部としての被摺動面４２に摺動自在に当接する摺動部４１ａになっている。摺動部４１ａには、図５（Ｂ）、（Ｄ）、図６（Ｃ）、（Ｄ）に示すように、開閉蓋２の開閉にともなって被摺動面４２を摺動する、主走査方向Ｂに沿った円弧面４１ａａが形成されている。円弧面４１ａａの曲率中心４１ｃ（図６（Ｄ））は、開閉ヒンジ３の回動軸心である連結軸３３(図４)と同心である。また、摺動部４１ａには、図５（Ａ）、図６（Ｃ）、（Ｄ）に示すように、副走査方向Ａに沿った円弧面４１ａｂが形成されている。円弧面４１ａｂの終端は、レバー４１の副走査方向Ａの両側に突出した突出部４１ａｃになっている。
【００２５】
凹部４３は、図５（Ａ）、（Ｃ）、図６（Ａ）、（Ｂ）に示すように、奥部に円弧凹面４３ａが形成されている。また、凹部４３は、主走査方向Ｂに沿った側壁４３ｂが１対形成されている。
【００２６】
図５（Ｄ）に示すように、補助ヒンジ４のレバー４１は、円弧面４１ａａの部分が凹部４３に進入し、被摺動面４２に当接して、開閉ヒンジ３と共に、開閉蓋２を画像読取部５００に支持している。補助ヒンジ４は、開閉ヒンジ３の両側に設けられているので、開閉蓋２が副走査方向Ａに傾くのを防止している。また、レバー４１の１対の突出部４１ａｃの両側には、僅かな隙間Ｇ（図５（Ｃ））を介して、凹部４３の１対の側壁４３ｂに対向している。因みに、隙間Ｇは、０．１ｍｍ〜０．２ｍｍである。このため、開閉蓋２は、レバー４１の突出部４１ａｃと、凹部４３の側壁４３ｂとによって構成される移動阻止部としての受け止め部４４によって、副走査方向Ａ（開閉ヒンジ３の回動軸心方向）への移動を阻止されるようになっている。
【００２７】
この状態で、開閉蓋２を手前側に倒す（閉方向Ｃに倒す）と、開閉蓋２は、支持機構３００の開閉ヒンジ３と１対の補助ヒンジ４とを回動中心にして、回動する。このとき、レバー４１の摺動部４１ａが被摺動面４２上を摺動する。なお、レバー４１と、被摺動面４２が形成された画像読取部５００は、摩擦係数の小さいＰＯＭ等の合成樹脂による成型品である。このため、レバー４１が被摺動面４２上を円滑に摺動するので、開閉蓋２は、速やかに閉められる。また、開閉蓋２の回転中、レバー４１の両側の突出部４１ａｃと凹部４３の側壁４３ｂとが対向している。このため、開閉蓋２は、副走査方向Ａへ移動するのを阻止されて、プラテンガラス５０１に載置された原稿をプラテンガラス５０１上で位置をずらすことなく、確実に押圧することができる。
【００２８】
開閉蓋２が閉められると、図５（Ａ）、（Ｂ）に示すように、レバー４１の円弧面４１ａｂが凹部４３の円弧凹面４３ａに当接する。また、補助ヒンジ４は、開閉ヒンジ３の両側に設けられて、開閉ヒンジ３の両側でレバー４１の円弧面４１ａｂが凹部４３の円弧凹面４３ａに当接している。このため、補助ヒンジ４は、開閉蓋２がプラテンガラス５０１を閉めた状態で、プラテンガラス上で回転して位置がずれるのを阻止される。よって、開閉蓋２がプラテンガラス５０１に載置された原稿を、プラテンガラス５０１上で位置をずらすことなく、確実に押圧することができる。
【００２９】
なお、以上の説明では、レバー４１に円弧面４１ａａが形成されている。しかし、図７（Ａ）（Ｂ）に示す第２の保持手段としての補助ヒンジ１０４のように、レバー１４１の摺動部１４１ａに円弧面を形成することなく、凹部１４３の被摺動部としての被摺動面１４２に、凹んだ円弧面１４２ａを形成してもよい。この場合の円弧面１４２ａの曲率中心１４１ｃも、開閉ヒンジ３の回動軸心である連結軸３３と同心である。また、図示しないがレバーの摺動部と、被摺動面との両方に円弧面を形成してもよい。よって、円弧面は、摺動部と載置部としての被摺動面との互いに当接する少なくとも一方の面に形成されていればよい。この場合、いずれの円弧面においても、円弧面の曲率中心は、開閉ヒンジ３の回動軸心と同心である必要がある。
【００３０】
さらに、図８に示す第２の保持手段としての補助ヒンジ２０４のように、レバー２４１に円弧面を形成することなく、先端部（回動基端部）２４１ｄに回転体としてのローラ２４４を設けてもよい。この場合、ローラ２４４の回転軸２４４ａと開閉ヒンジ３の連結軸３３とが、同心である必要がある。
【００３１】
さらに、被摺動面４２は、凹部４３に形成することなく、図９に示す第２の保持手段としての補助ヒンジ３０４のように、画像読取部５００の奥部５００ａの平な上面５００ａａそのものを被摺動面として使用してもよい。この場合、レバー４１は、図６に示すレバー４１と同形である。また、図５に示す、円弧凹面４３ａ、１対の側壁４３ｂに相当する部分は、画像読取部５００の奥部５００ａに突設した平面視コ字状の受け部材３０５に形成されている。
【００３２】
また、以上の説明では、補助ヒンジ４、１０４，２０４，３０４は、開閉ヒンジ３の両側にそれぞれ設けられているが、図１０に示すように、開閉ヒンジ３と補助ヒンジ４（１０４，２０４，３０４）とを１つずつ、副走査方向Ａに離間して配置してもよい。
【００３３】
以上の画像読取装置は、原稿供給装置或いは開閉蓋を画像読取部に回動自在に支持するのに、従来複数使用していた開閉ヒンジの内、少なくとも１つの開閉ヒンジを残し、他を、原稿供給装置或いは開閉蓋を画像読取部に当接支持する構成にしてある。このため、画像読取装置４００，７００は、簡単な構成で、原稿供給装置６００或いは開閉蓋２を画像読取部５００に回動自在に支持されているので、構造や組立を簡単にして、コストを下げることができる。また、原稿供給装置或いは開閉蓋を画像読取部に当接支持するようにしてあるので、厚みのある原稿の場合、その当接支持する部分を浮き上がらせて、原稿供給装置或いは開閉蓋で原稿を画像読取部に密着させることができて、読取精度を向上させることができる。さらに、このような構成の画像読取装置を備えた画像形成装置も、コストを下げることができる。
【符号の説明】
【００３４】
２：開閉蓋（原稿押圧体）、３：開閉ヒンジ（第１の保持手段）、４，１０４，２０４，３０４：補助ヒンジ（第２の保持手段）、４１，１４１，２４１：レバー、４１ａ，１４１ａ：回動基端部（摺動部）、４１ｃ：曲率中心、４２：被摺動面（被摺動部、受け部）、１４２，５００ａａ：被摺動面（被摺動部）、３３：連結軸（回動軸心）、４４：受け止め部（移動阻止部）、１０３：画像形成部、２４４：ローラ（回転体）、４００，７００：画像読取装置、５００：画像読取部、５０１：プラテンガラス（原稿載置面）、６００：原稿供給装置（原稿押圧体）、Ａ：副走査方向、Ｂ：主走査方向、Ｃ：閉方向、Ｄ：開方向。
【図１】
0005951583.tif 000002
【図２】
0005951583.tif 000003
【図３】
0005951583.tif 000004
【図４】
0005951583.tif 000005
【図５】
0005951583.tif 000006
【図６】
0005951583.tif 000007
【図７】
0005951583.tif 000008
【図８】
0005951583.tif 000009
【図９】
0005951583.tif 000010
【図１０】
0005951583.tif 000011